(57)【特許請求の範囲】
【請求項１】
光透過部材と、
この光透過部材の下方位置に配置され、複数の表示領域を有する表示パネルと、
この表示パネルの上面に配置された表示部材と、
この表示パネルの少なくとも１つの表示領域を装飾するために当該表示部材に設けられた穴に嵌め込まれ、前記光透過部材と前記表示部材とでわずかな隙間を置いて挟持された状態で固定された中空状の装飾部材とを備え、
前記中空状の装飾部材の上部位置に、互いに予め定められた間隔を置いて、前記光透過部材の下面に対向する点接触可能な突出部が複数設けられていることを特徴とする表示装置。
【請求項２】
前記光透過部材は、時計ガラスであり、前記表示部材は文字板であることを特徴とする請求項１に記載の表示装置。
【請求項３】
前記複数の突出部は、時字としての機能も併せもつことを特徴とする請求項２に記載の表示装置。
【請求項４】
請求項１に記載の表示装置と、
この表示装置が設けられた時計装置本体と、
を備えていることを特徴とする時計装置。
【請求項５】
前記光透過部材は、時計ガラスであり、前記表示部材は文字板であることを特徴とする請求項４に記載の時計装置。
【発明の詳細な説明】
【技術分野】
【０００１】
本発明は、光透過部材とその下側に設けられた表示部材との間に装飾部材が設置されている表示装置及び時計装置に関する。
【背景技術】
【０００２】
従来、特許文献１に示すように、時計装置の一例である腕時計において文字板の表面を装飾するため、文字板の上に立体的な飾りピース又は枠リングなどと称されている装飾部材を設けることが行われている。
ところで、この飾りピースは文字板に設けられた穴に飾りピースの下端部を嵌め込むことによって文字板に取り付けられている。そして、飾りピースが取り付けられた文字板は腕時計ケースの下端開口から腕時計ケースに入れられ、その後、時計モジュール部材及びクッション材等がこの順序で入れられ、腕時計ケースの下端開口に裏蓋が取り付けられることで、飾りピース、文字板及び時計モジュール部材が腕時計ケース内に固定される。
【先行技術文献】
【特許文献】
【０００３】
【特許文献１】特開平０７−１０４０７５号公報
【発明の概要】
【発明が解決しようとする課題】
【０００４】
上述のように、飾りピースはその下端部が文字板の穴に嵌め込まれているだけであるため、時計ガラスと飾りピースとのクリアランスを大きく設定すると、例えば腕時計を落とすなど腕時計に衝撃が加わった場合、飾りピースの下端部が文字板の穴から外れてしまい、飾りピースが時計ガラスと文字板との間で移動したりするという問題がある。
一方、時計ガラスと飾りピースとのクリアランスを小さく設定すると、裏蓋を腕時計ケースに取り付ける際に、時計ガラスの下面に飾りピースが押し付けられ、時計ガラスが歪んで外部からニュートンリングと称されている干渉縞が発生し、文字板上に形成されている時字または装飾部分が明確に視認することができず、また腕時計の外観を損ねてしまうという問題がある。
このような問題点を解消する方法として、文字板に飾りピースを両面テープや接着剤で貼り付けて固定することも考えられる。しかし、両面テープや接着剤を用いる場合には、その接着性や作業性を考慮すると、接着面積をある程度大きく取らなければならなくなり、飾りピースのデザインに制約が生じてしまうという問題がある。また、両面テープや接着剤を使用する分だけ、製造工数が増えてしまうという問題がある。特に、接着剤を使用するものでは、接着剤のポットライフや糸引き等の発生で工程での手間が増えてしまう。
また、このような問題は、光透過部材と表示部材との間に装飾部材を設ける場合一般に生じる。
本発明は、かかる実情に鑑み、装飾部材と光透過部材とが接触した場合でも、ニュートンリングと称されている干渉縞の発生を極力防止し、かつ、外観を損ねることが少ない表示装置及び時計装置を提供することを目的としている。
【課題を解決するための手段】
【０００５】
請求項１の発明は、
光透過部材と、
この光透過部材の下方位置に配置され、複数の表示領域を有する表示パネルと、
この表示パネルの上面に配置された表示部材と、
この表示パネルの少なくとも１つの表示領域を装飾するために当該表示部材に設けられた穴に嵌め込まれ、前記光透過部材と前記表示部材とでわずかな隙間を置いて挟持された状態で固定された中空状の装飾部材とを備え、
前記中空状の装飾部材の上部位置に、互いに予め定められた間隔を置いて、前記光透過部材の下面に対向する点接触可能な突出部が複数設けられていることを特徴とする表示装置である。
【発明の効果】
【００１２】
本発明の表示装置及び時計装置によれば、光透過部材の下面と装飾部材の一部とが接触した場合でもその接触面積が小さいことから、ニュートンリングの発生を防止することができる。仮にニュートンリングが発生した場合でも、目視できないほどのニュートンリングしか生じないようにすることができる。また、表示装置及び時計装置の外観を損なうことが少なくなるようにすることができる。
【図面の簡単な説明】
【００１３】
【図１】本発明の第１の実施形態に係る腕時計の正面図である。
【図２】図１の腕時計のＩＩ−ＩＩ矢視における断面図である。
【図３】図１の腕時計の飾りピースの斜視図である。
【図４】図３の飾りピースの平面図である。
【図５】図３の飾りピースの下面図である。
【図６】時計ガラスと文字板との間に配置されている飾りピースを図４のＶＩ−ＶＩ矢視から見た断面図である。
【図７】図６の飾りピースにおける第１の飾り部の右側面図である。
【図８】時計ガラスと文字板との間に配置されている飾りピースを図４のＶＩＩＩ−ＶＩＩＩ矢視から見た断面図である。
【図９】図８の飾りピースにおける第２の飾り部の左側面図であって右半分手前側を切り欠いた図である。
【図１０】本発明の第２の実施形態に係る腕時計の腕時計ケースの断面図である。
【図１１】飾りピースの変形例の平面図である。
【発明を実施するための形態】
【００１４】
以下、本発明の実施の形態について添付図面を参照して説明する。
図１は本発明の表示装置の一例としての第１の実施形態の腕時計（時計装置）の平面図、図２は図１の腕時計のＩＩ−ＩＩ線に沿った断面図である。
この腕時計１００は、図１及び図２に示すように、腕時計ケース１を備えている。この腕時計ケース１の上部開口部には、光透過部材である時計ガラス２がパッキン２ａを介して装着されており、腕時計ケース１の下部には、裏蓋３が防水リング３ａを介して取り付けられている。また、この腕時計ケース１内には、時計モジュール部材４が配置されている。
【００１５】
腕時計ケース１は、図２に示すように、ケース本体７と、このケース本体７の外周面に設けられたベゼル８とを備えている。ケース本体７及びベゼル８は合成樹脂によって形成されている。ケース本体７には、金属製の補強部材７ａがインサート成形によって設けられている。
【００１６】
また、この腕時計ケース１における１２時側と６時側との各側部には、図１に示すように、時計バンド９を取り付けるためのバンド取付部１０がそれぞれ設けられている。さらに、この腕時計ケース２の側部には複数の押釦スイッチ１１が設けられている。
【００１７】
時計モジュール部材４は、硬質の合成樹脂から形成されている。この時計モジュール部材４の上部には、時刻などの情報を電気光学的に表示する表示パネル１３が設けられている。この表示パネル１３は、液晶表示素子やＥＬ（エレクトロルミネッセンス）表示素子などの平面型の表示素子で構成されている。また、このモジュール部材４の内部には、図示はしないが、表示パネル１３を駆動するための電子回路部や、時計機能に必要な各種の電子部品が組み込まれている。なお、表示パネル１３は、図１に示すように、時刻や時間を表示する表示区域１３ａと、年月日や曜日を表示する表示区域１３ｂとを備えている。
【００１８】
この時計モジュール部材４は、図２に示すように、腕時計ケース１内に収納されている。すなわち、時計モジュール部材４は、下面がクッション材６によって押さえられ、さらに裏蓋３によって腕時計ケース１内に押し付けられて配置されている。この場合のクッション材６としては、ゴムなどの弾性材料が用いられている。なお、クッション材６と裏蓋３との間に押さえ板が介在され、時計モジュール４の収納の際に、時計モジュール４がクッション材６及び押さえ板によって押さえられる場合もある。或いは、クッション材の代わりに、押さえ部材で時計モジュール４が押さえられる場合もある。
【００１９】
また、表示パネル１３の上には表示部材である文字板１５が設置されている。そして、この文字板１５と時計ガラス２との間には立体的な装飾部材である飾りピース２０が設置されている。実施形態に係る腕時計１００では、文字板１５と時計ガラス２との間の空間に飾りピース（装飾部材）２０が設置されている。この飾りピース２０は文字板１５と時計ガラス２とで、わずかな隙間を置いて挟持された状態で固定されている。
【００２０】
図３はこの飾りピース２０の斜視図、図４はこの飾りピース２０の平面図、図５はこの飾りピース２０の下面図である。
この飾りピース２０は、円環状の第１の飾り部２１及び第２の飾り部２２を備えている。このうち第１飾り部２１の外形寸法は第２の飾り部２２の外形寸法よりも大きく形成されている。そして、飾りピース２０は、第１の飾り部２１と第２の飾り部２２とが一体的となっており、第１の飾り部２１の外周部と第２の飾り部２２の外周部との一部が重なり合った形状をなしている。なお、飾りピース２０は円環状でなくてもよく、枠形状、棒状等であってもよいことは勿論である。
【００２１】
続いて、この飾りピース２０を構成する第１の飾り部２１について説明する。図６は図４の飾りピース２０のＶＩ−ＶＩ線に沿う断面図、図６は第１の飾り部２１の右側面図、図７は第１の飾り部２１の右側面図である。
図３及び図６に示すように、この第１の飾り部２１は、円周方向に直交する断面で見た場合、環状部２１１の上面中央部が頂部２１２となるように山形に盛り上がって形成されている。この第１の飾り部２１の頂部２１２は平面となっている。そして、環状部２１１の上面の頂部２１２よりも半径方向外側が半径外方に向けて下り勾配を持つ傾斜面２１２ａとなっており、一方、頂部２１２よりも半径方向内側が半径内方に向けて下り勾配を持つ傾斜面２１２ｂとなっている。
【００２２】
また、この第１の飾り部２１の下側の内周側には、図６に示すように、他の部分よりも下方に垂れ下がる嵌合部２１３が形成されている。この嵌合部２１３は環状部２１１と同心的に形成されている。この嵌合部２１３は、飾りピース２０を文字板１５に取り付ける際に文字板１５の穴１５ｃに嵌め込まれる部分である。
一方、第１の飾り部２１の下側の外周側には、図６に示すように、下方に垂れ下がる載置部２１４が形成されている。この載置部２１４は環状部２１３と同心的に形成されている。この載置部２１４の下面は平面となっていて載置面２１４ａを構成している。この載置部２１４は、飾りピース２０を文字板１５に取り付ける際に文字板１５に載置される部分であり、載置状態では、載置面２１４ａは文字板１５の上面に当接する。
また、環状部２１１の下側には、嵌合部２１３と載置部２１４との間に溝２１５が形成されている。
【００２３】
また、第１の飾り部２１には、円周方向に等間隔（中心角で１２０度間隔）に３つの突出部２１６が形成されている。この３つの突出部２１６の中の１つは第２の飾り部２２が連設される側とは反対側の位置に形成されている。
この３つの突出部２１６は載置面２１４ａを基端として環状部２１１の外側に沿って起立し、さらに、環状部２１１の傾斜面２１２ａの上まで延びて形成されている。そして、突出部２１６の頂部２１６ａは環状部２１１の上面の頂部２１２よりも上方に突出している。
【００２４】
さらに、第１の飾り部２１には飾り用の凹部２１８が多数形成されている。
すなわち、図４に示すように、第１の飾り部２１の外周部には、隣り合う突出部２１６，２１６の間に、等間隔（中心角２０度間隔）で凹部２１８が形成されている。この凹部２１８の形成場所は、第１の飾り部２１の外周面２１７と傾斜面２１２ａとの境界部分である。なお、第２の飾り部２２が連設される側に位置する隣り合う突出部２１６，２１６の間では、中央の凹部２１８は省略され、後述の突出部２２６に取って代わられている。
また、第１の飾り部２１の内周部には、等間隔（中心角３６度間隔）で凹部２１８が形成されている。この凹部２１８の形成場所は、傾斜面２１２ｂの上である。
【００２５】
次に、上記飾りピース２０を構成する第２の飾り部２２について説明する。図８は飾りピース２０のＶＩＩＩ−ＶＩＩＩ線に沿う断面図、図９は第２の飾り部２２の左側面図であって右半分手前側を切り欠いた図である。
図３に示すように、この第２の飾り部２２は、円周方向に直交する断面で見た場合、環状部２２１の上面中央部が頂部２２２となるように山形に盛り上がって形成されている。すなわち、環状部２２１の上面の頂部２２２よりも半径方向外側が半径外方に向けて下り勾配を持つ傾斜面２２２ａとなっており、頂部２２２よりも半径方向内側が半径内方に向けて下り勾配を持つ傾斜面２２２ｂとなっている。なお、環状部２２１の上面の頂部２２２は上記第１の飾り部分２１における環状部２１２の上面の頂部２１２と同じ高さとなっている。
【００２６】
この第２の飾り部２２の下側の内周側には、図８に示すように、他の部分よりも下方に垂れ下がる嵌合部２２３が形成されている。この嵌合部２２３は環状部２２１と同心的に形成されている。この嵌合部２２３は、飾りピース２０を文字板１５に取り付ける際に文字板１５の穴１５ｃに嵌め込まれる部分である。
一方、第２の飾り部２２の下側の外周側には、下方に垂れ下がる載置部２２４が形成されている。この載置部２２４は環状部２２３と同心的に形成されている。この載置部２２４の下面は平面となっていて載置面２２４ａを構成している。この載置部２２４は、飾りピース２０を文字板１５に取り付ける際に文字板１５に載置される部分であり、載置状態では、載置面２２４ａは文字板１５の上面に当接する。なお、載置面２２４ａは上記載置面２１４ａと面一となって互いに繋がっている。
また、環状部２２１の下側には、嵌合部２２３と載置部２２４との間に溝２２５が形成されている。
【００２７】
また、第２の飾り部２２には、円周方向に等間隔（中心角で９０度間隔）に４つの突出部２２６が形成されている。この４つの突出部２２６の中の１つは第１の飾り部２１が連設される位置に形成されている。
この４つの突出部２２６は載置面２２４ａを基端として環状部２２１の外側に沿って起立し、さらに、環状部２２１の傾斜面２２２ａの上まで延びて形成されている。そして、突出部２２６の頂部２２６ａは環状部２２１の上面の頂部２２２よりも上方に突出している。
【００２８】
さらに、第２の飾り部２２には飾り用の凹部２２８が複数形成されている。
すなわち、第２の飾り部２２の内周部には、等間隔（中心角７２度間隔）で凹部２２８が形成されている。この凹部２２８の形成場所は、傾斜面２２２ｂの上である。
【００２９】
続いて、実施形態の腕時計の組立方法について説明する。
まず、文字板１５の穴１５ｃに飾りピース２０の嵌合部２１３，２２３を嵌め込んで、文字板１５に飾りピース２０を取り付ける。次に、飾りピース２０が取り付けられた文字板１５を飾りピース２０側から腕時計ケース１内に挿入する。次に、時計モジュール部材４を表示パネル１３側から腕時計ケース１内に挿入する。なお、飾りピース２０が取り付けられた文字板１５と時計モジュール部材４を一緒に腕時計ケース１内に挿入してもよい。
次に、クッション材６を腕時計ケース１内に挿入し、その後に、裏蓋３を腕時計ケース１に取り付ける。
これによって、飾りピース２０は腕時計内に組み込まれる。
【００３０】
このように構成された腕時計１００によれば、次のような作用及び効果が得られる。
すなわち、時計ガラス２の下面と飾りピース２０の突出部２１６の頂部２１２とは、わずかに距離を隔てて配置されているので、平常時においては非接触状態にあるが、時計ガラス２の上面が上方から押され、その結果、時計ガラス２と飾りピース２０の突出部２１６とが互いに接近し、時計ガラス２の下面と飾りピース２０の突出部２１６の頂部２１２とが点接触状態になることがある。
しかしながら、このように時計ガラス２の下面と飾りピース２０の突出部２１６の頂部２１２とが点接触状態になった場合でも、時計ガラス２の下面と飾りピース２０の上面とが面接触しないで、時計ガラス２の下面と飾りピース２０の３個の突出部２１６の頂部２１２とが点接触することとなるので、時計ガラス２と飾りピース２０との接触面積を大幅に抑制することができ、このために、時計ガラス２の下面が飾りピース２０の突出部２１６の頂部２１２により押されて、当該時計ガラス２の下面のうち、頂部２１２と対向する位置にニュートンリングが発生したときでも、目視できないほどのニュートンリングしか生じないため、時計ガラス２を透過して文字板１５の表面に形成されている時字または装飾部部分などを目視することができる一方で、時計ガラス２が変形する事態を未然に防止して、腕時計１００の外観を損なうことを抑制することができる。
【００３１】
図１０には本発明の腕時計の第２の実施形態が示されている。
この腕時計２００は時計ガラス２の裏側にソーラパネル（光透過部材）２０１が設置された腕時計である。この腕時計２００においては、第１の実施形態と同じ飾りピース２０が文字板１５とソーラパネル２０１との間に設けられている。そして、この腕時計２００においては、飾りピース２０の突出部２１６，２２６の頂部２１６ａ，２２６ａがソーラパネル２０１に点接触可能となっている。なお、図１０において第１の実施形態の腕時計１００と同じ部材については同じ符号が付してある。
【００３２】
このような構造の場合、一般には、飾りピース２０は文字板１５の上に設置され、この文字板１５とソーラパネル２０１とで挟むことによって飾りピース２０の上下方向の固定を行っている。この場合、飾りピース２０に突出部２１６，２２６が存在しないものでは、飾りピース２０がソーラパネル２０１と面接触することになる。その結果、飾りピース２０が接触した箇所にニュートンリングや、水で濡れたような跡が発生することがある。これに対して、この第２の実施形態の腕時計によれば、飾りピース２０の突出部２１６，２２６の頂部２１６ａ，２２６ａがソーラパネル２０１に点接触可能となっているので、点接触した場合であっても、目視できないほどのニュートンリングしか生じない。
なお、「点接触」にするには突出部２１６，２２６の頂部２１６ａ，２２６ａを尖頭状、半球状にしたりすることも可能である。
また、接触面積は、例えば、１平方ｍｍ程度のものでもよい。また、線接触の場合は、例えば、１ｍｍ以下の接触であってもよい。
【００３３】
図１１には腕時計に設けられる飾りピースの変形例が示されている。この飾りピース３０は上記飾りピース２０の第１の飾り部２１に相当するものであり、この飾りピース３０では上記第１の飾り部２１の突出部２１６に相当する突出部３１６が時字を構成している。この飾りピース３０は内側に時針３１ａ、分針３１ｂ又は秒針３１ｃなどの指針３１が設けられる場合に使用されるものである。
【００３４】
このように飾りピース３０の突出部３１６を時字として構成すれば、突出部３１６とは別に時字をわざわざ設ける必要がなくなる上、意匠的にも好ましいものとなる。
【００３５】
以上、本発明の実施形態及び変形例について説明したが、本発明はかかる実施形態及び変形例に限定されるものではなく、その要旨を逸脱しない範囲で種々の変形が可能であることは言うまでもない。
例えば、上記変形例では、飾りピース３０の突出部３１６が時字を構成する場合を述べたが、時字に限らず、指針に応じた指標を設けてもよいことは勿論である。
【００３６】
また、表示装置として腕時計の場合を挙げたが、腕時計以外の表示装置、例えば、携帯電話等にも適用可能である。
【符号の説明】
【００３７】
１    腕時計ケース
２    時計ガラス
１５    文字板
２０    飾りピース
２１    第１の飾り部
２１３    嵌合部
２１４    載置部
２１６    突出部
２１３ａ    頂部
２２    第２の飾り部
２２３    嵌合部
２２４    載置部
２２６    突出部
２２６ａ    頂部
【図１】
0005589693.tif 000002
【図２】
0005589693.tif 000003
【図３】
0005589693.tif 000004
【図４】
0005589693.tif 000005
【図５】
0005589693.tif 000006
【図６】
0005589693.tif 000007
【図７】
0005589693.tif 000008
【図８】
0005589693.tif 000009
【図９】
0005589693.tif 000010
【図１０】
0005589693.tif 000011
【図１１】
0005589693.tif 000012